【事件の表示】
　特許第３３７６１９２号「薬剤分割包装装置」の請求項１、２に係る特許に対する特許異議の申立てについて、次のとおり決定する。
【結　論】
　訂正を認める。
　特許第３３７６１９２号の請求項１、２に係る特許を維持する。
【理　由】
〔１〕手続の経緯
　本件特許第３３７６１９２号発明についての出願は、平成７年１２月５日に特許出願され、平成１４年１１月２９日に特許権の設定登録（請求項の数２）されたものであるが、本件特許の全請求項の発明に対して、村田元より特許異議の申立てがあったので、当該申立ての理由を検討の上、当審より平成１６年５月２７日付けで特許取消理由を通知したところ、その通知書で指定した期間内の平成１６年８月３日に、特許異議意見書と共に訂正請求書が提出された後、平成１６年９月１０日付けで再度特許取消理由が通知され、その後、前回の訂正請求を取り下げるとともに、その指定期間内である平成１６年１１月１８日に再度特許異議意見書と共に訂正請求書が提出されたものである。
　
〔２〕訂正請求について
１　訂正請求の内容
　本件訂正請求の趣旨は、特許第３３７６１９２号の明細書を訂正請求書に添付した訂正明細書のとおり訂正することを求めるものであり、訂正事項は以下のとおりである。
　訂正事項ａ
　特許請求の範囲の記載
「【請求項１】　側板の両端部に端板をそれぞれ固定し、前記側板に対して下縁が接離可能となるように開閉板を設け、該開閉板と側板との間に仕切三角板を設けて、該仕切三角板を前記端板に向かって移動させることにより薬剤の分割数を調整可能としてなるＶ枡と、
該Ｖ枡の下方に並設され、開閉可能な底板を有し、Ｖ枡から落下する薬剤を分割して受け止める複数の分割容器と、
該分割容器のいずれかの下方で薬剤を受け入れるホッパーを有する包装装置とを備え、
前記各分割容器をループ状に移動可能な構成とすると共に、そのうちの１つを他よりも幅広に形成し、前記各分割容器を前記Ｖ枡の下方に並設した際、幅広の分割容器を仕切三角板の下方に位置させるようにしたことを特徴とする薬剤分割包装装置。」を、
「【請求項１】　側板の両端部に端板をそれぞれ固定し、前記側板に対して下縁が接離可能となるように開閉板を設け、該開閉板と側板との間に仕切三角板を設けて、該仕切三角板を前記端板に向かって移動させることにより薬剤の分割数を調整可能としてなるＶ枡と、
該Ｖ枡の下方に並設され、開閉可能な底板を有し、Ｖ枡から落下する薬剤を分割して受け止める複数の分割容器と、
該分割容器のいずれかの下方で薬剤を受け入れるホッパーを有する包装装置とを備え、
前記各分割容器を、ループ状に移動可能な構成とすると共に、そのうちの１つを他よりも幅広に形成し、一対のプーリ間に架け渡されたベルトに固定されて、前記プーリの外周を通過する位置では離間させ、前記プーリの外周を通過する位置以外では磁力により互いに連続させると共に、前記各分割容器を前記Ｖ枡の下方に並設した際、幅広の分割容器を仕切三角板の下方に位置させるようにしたことを特徴とする薬剤分割包装装置。」
と訂正する。
　訂正事項ｂ
　明細書の段落【００１０】の記載
「【課題を解決するための手段】前記課題を解決するため、本発明では、側板の両端部に端板をそれぞれ固定し、前記側板に対して下縁が接離可能となるように開閉板を設け、該開閉板と側板との間に仕切三角板を設けて、該仕切三角板を前記端板に向かって移動させることにより薬剤の分割数を調整可能としてなるＶ枡と、該Ｖ枡の下方に並設され、開閉可能な底板を有し、Ｖ枡から落下する薬剤を分割して受け止める複数の分割容器と、該分割容器のいずれかの下方で薬剤を受け入れるホッパーを有する包装装置とを備え、前記各分割容器をループ状に移動可能な構成とすると共に、そのうちの１つを他よりも幅広に形成し、前記各分割容器を前記Ｖ枡の下方に並設した際、幅広の分割容器を仕切三角板の下方に位置させるようにしたものである。」を、
「【課題を解決するための手段】前記課題を解決するため、本発明では、側板の両端部に端板をそれぞれ固定し、前記側板に対して下縁が接離可能となるように開閉板を設け、該開閉板と側板との間に仕切三角板を設けて、該仕切三角板を前記端板に向かって移動させることにより薬剤の分割数を調整可能としてなるＶ枡と、該Ｖ枡の下方に並設され、開閉可能な底板を有し、Ｖ枡から落下する薬剤を分割して受け止める複数の分割容器と、該分割容器のいずれかの下方で薬剤を受け入れるホッパーを有する包装装置とを備え、前記各分割容器を、ループ状に移動可能な構成とすると共に、そのうちの１つを他よりも幅広に形成し、一対のプーリ間に架け渡されたベルトに固定されて、前記プーリの外周を通過する位置では離間させ、前記プーリの外周を通過する位置以外では磁力により互いに連続させると共に、前記各分割容器を前記Ｖ枡の下方に並設した際、幅広の分割容器を仕切三角板の下方に位置させるようにしたものである。」
と訂正する。
　
２　訂正の適否
　上記訂正について検討する。
　訂正事項ａは、特許請求の範囲の【請求項１】において、「分割容器」の構成を、「一対のプーリ間に架け渡されたベルトに固定されて、前記プーリの外周を通過する位置では離間させ、前記プーリの外周を通過する位置以外では磁力により互いに連続させる」なる構成に限定するものであり、この限定した構成は、願書に添付した明細書の発明の詳細な説明の段落【００１７】及び【図１】に記載されていたものであるから、この訂正は、特許請求の範囲の減縮を目的とする訂正であり、願書に添付した明細書又は図面に記載した事項の範囲内においてなされたものであり、しかも、実質上特許請求の範囲を拡張し、又は変更するものでもない。
　訂正事項ｂは、訂正後の【請求項１】の記載と発明の詳細な説明の記載との整合性を図るもので、この訂正は、明りょうでない記載の釈明を目的とする訂正であり、願書に添付した明細書又は図面に記載した事項の範囲内においてなされたものであり、しかも、実質上特許請求の範囲を拡張し、又は変更するものでもない。
　したがって、上記訂正は、特許法第１２０条の４第２項及び同条第３項において準用する特許法第１２６条第２項及び第３項の規定に適合するので、当該訂正を認める。
　
〔３〕異議申立てについての判断
３−１　異議申立ての理由の概要
　異議申立人は、訂正前の請求項１、２に係る発明は、甲第１乃至３号証に記載された発明に基づいて、当業者が容易に発明をすることができたものであるので、特許法第２９条第２項の規定により特許を受けることができないものであるから、訂正前の請求項１、２に係る発明についての特許は取り消されるべきである旨主張している。
　甲第１号証：特開平７−６１４０２号公報
　甲第２号証：実公昭６０−９１２１号公報
　甲第３号証：特公昭６０−５８１３６号公報
　
３−２　本件発明
　上記のとおり訂正が認められたので、本件請求項１、２に係る発明（以下、「本件発明１」、「本件発明２」という。）は、訂正明細書の特許請求の範囲の請求項１、２に記載された、以下のとおりのものと認める。
「【請求項１】　側板の両端部に端板をそれぞれ固定し、前記側板に対して下縁が接離可能となるように開閉板を設け、該開閉板と側板との間に仕切三角板を設けて、該仕切三角板を前記端板に向かって移動させることにより薬剤の分割数を調整可能としてなるＶ枡と、
該Ｖ枡の下方に並設され、開閉可能な底板を有し、Ｖ枡から落下する薬剤を分割して受け止める複数の分割容器と、
該分割容器のいずれかの下方で薬剤を受け入れるホッパーを有する包装装置とを備え、
前記各分割容器を、ループ状に移動可能な構成とすると共に、そのうちの１つを他よりも幅広に形成し、一対のプーリ間に架け渡されたベルトに固定されて、前記プーリの外周を通過する位置では離間させ、前記プーリの外周を通過する位置以外では磁力により互いに連続させると共に、前記各分割容器を前記Ｖ枡の下方に並設した際、幅広の分割容器を仕切三角板の下方に位置させるようにしたことを特徴とする薬剤分割包装装置。
【請求項２】　前記三角仕切板の位置に基づいて薬剤の設定分割数を検出する分割数検出手段と、前記分割容器を原点位置にセットし、該分割数検出手段からの信号に基づいて分割位置に移動させる制御手段とを設けたことを特徴とする請求項１に記載の薬剤分割包装装置。」
　
３−３　甲各号証の記載事項
（１）甲第１号証（平成１６年９月１０日付け取消理由に引用した刊行物２）
　甲第１号証の段落【００１５】、【００１６】の記載及び図２〜４によれば、甲第１号証には、「各散剤収納体９が底部に開閉蓋１０を有し、該各散剤収納体９をループ状に移動可能に構成すると共に、一対のプーリ間に架け渡されたベルトに固定されて、前記プーリの外周を通過する位置では離間させ、前記プーリの外周を通過する位置以外では互いに連続させる薬剤分割包装装置。」という発明が記載されているものと認める。
（２）甲第２号証
　甲第２号証の第２コラム第２７行〜第３コラム第２８行の記載、第１〜３図によれば、甲第２号証には、「複数個の錠剤バケット９を回動チェーン１０に結合してエンドレス周回する如く設置するとともに、複数個の散剤バケット１３を回動チェーン１４に結合してエンドレス周回する如く設置し、錠剤バケット９及び散剤バケット１３の底蓋に開閉蓋を装備する薬剤分割包装装置。」という発明が記載されているものと認める。
（３）甲第３号証（平成１６年９月１０日付け取消理由に引用した刊行物１）
　甲第３号証の第２コラム第２０行〜第３コラム第１３行の記載、第１、２図によれば、甲第３号証には、「側板の両端部に端板をそれぞれ固定し、前記側板に対して下縁が接離可能となるように可動側側壁１ｍを設け、該可動側側壁１ｍと側板との間に三角形状の仕切板６を設けて、該仕切板６を前記端板に向かって移動させることにより薬剤の分割数を調整可能としているＶ型桶状ホッパ１と、該Ｖ型桶状ホッパ１の下方に並設され、Ｖ型桶状ホッパ１から落下する薬剤を分割して受け止める複数の仕切マス１０と、該仕切マス１９のいずれかの下方で薬剤を受け入れる送出口１１を有する包装装置とを備え、前記各仕切マス１０を、ピニオン及びラックを介して往復運動可能な構成とすると共に、そのうちの１つを他よりも幅広に形成し、前記各仕切マス１０を前記Ｖ型桶状ホッパ１の下方に並設した際、幅広の分割容器を三角形状の仕切板６の下方に位置させるようにした薬剤分割包装装置。」という発明が記載されているものと認める。
　
３−４　対比・判断
　本件発明１と甲第３号証に記載された発明とを対比すると、後者の「可動側側壁１ｍ」、「三角形状の仕切板６」、「Ｖ型桶状ホッパ１」、「仕切マス１０」及び「送出口１１」は、前者の「開閉板」、「仕切三角板」、「Ｖ枡」、「分割容器」及び「ホッパー」に相当するので、両者は、
「側板の両端部に端板をそれぞれ固定し、前記側板に対して下縁が接離可能となるように開閉板を設け、該開閉板と側板との間に仕切三角板を設けて、該仕切三角板を前記端板に向かって移動させることにより薬剤の分割数を調整可能としてなるＶ枡と、
該Ｖ枡の下方に並設され、Ｖ枡から落下する薬剤を分割して受け止める複数の分割容器と、
該分割容器のいずれかの下方で薬剤を受け入れるホッパーを有する包装装置とを備え、
前記各分割容器のうちの１つを他よりも幅広に形成し、前記各分割容器を前記Ｖ枡の下方に並設した際、幅広の分割容器を仕切三角板の下方に位置させるようにした薬剤分割包装装置。」である点で一致しているが、以下の点で相違している。
　相違点１
　複数の分割容器が、本件発明１では、「開閉可能な底板を有し」ているのに対し、甲第３号証に記載された発明では、開閉可能な底板を有していない点。
　相違点２
　各分割容器を、本件発明１では、「ループ状に移動可能な構成とすると共に、一対のプーリ間に架け渡されたベルトに固定されて、前記プーリの外周を通過する位置では離間させ、前記プーリの外周を通過する位置以外では磁力により互いに連続させる」としているのに対し、甲第３号証に記載された発明では、ピニオン及びラックを介して往復運動可能な構成としており、一対のプーリとベルトによりループ状に移動可能な構成としていない点。
　そこで、まず、相違点２について検討する。
　甲第１号証及び甲第２号証に記載のものは、ともに「薬剤分割装置」に関するものであり、「各分割容器をループ状に移動可能な構成とすると共に、一対のプーリ間に架け渡されたベルトに固定されて、前記プーリの外周を通過する位置では離間させ、前記プーリの外周を通過する位置以外では互いに連続させる」技術が記載されているものと認められるものの、「前記プーリの外周を通過する位置以外では磁力により互いに連続させる」構成に関する何等の開示又は示唆をなすものではない。また、平成１６年９月１０日付け取消理由通知で引用した刊行物３（特開平３−２５６８０２号公報）に記載のものも、上記「前記プーリの外周を通過する位置以外では磁力により互いに連続させる」構成に関する何等の開示又は示唆をなすものではない。
　そして、本件発明１は、上記「前記プーリの外周を通過する位置以外では磁力により互いに連続させる」構成を有することにより、平成１６年１１月１８日付け意見書を参酌すると、「分割容器をループ状に移動させる場合、分割容器がベルト等に連結された構成となっているため、円弧部分を移動する際、必ず隣接する分割容器の間で隙間が形成される。そして、直線部分で強制的に分割容器間の隙間がなくなるように密着して連続する。したがって、組立精度がそれほど要求されることなく、整列状態で分割容器間の隙間を確実に取り除くことができる。このため、分割容器の一端側、すなわち幅広の分割容器を仕切三角板の下方に位置させるだけで、Ｖ枡から落下させた薬剤を適切に受け取ることが可能である。」（第４頁第５〜１２行）と主張する如く、甲第１〜３号証に記載された発明からは予測し難い「開閉板と仕切三角板との間に形成される隙間からこぼれ落ちる薬剤をも回収でき、均等な包装が可能となる。」という訂正明細書記載の効果を奏するものである。
　したがって、上記相違点１について検討するまでもなく、本件発明１は、上記「前記プーリの外周を通過する位置以外では磁力により互いに連続させる」構成を開示又は示唆しない甲第１〜３号証に記載された発明に基づいて、当業者が容易に発明をすることができたものとすることができない。
　また、本件発明２は、請求項１を引用することにより、上記構成をその一部とするものであるから、上記構成を開示又は示唆しない甲第１〜３号証に記載された発明に基づいて、当業者が容易に発明をすることができたものとすることができない。
　
〔４〕むすび
　以上のとおりであるから、特許異議申立ての理由及び証拠によっては、本件発明１、２についての特許を取り消すことができない。
　また、他に本件発明１、２についての特許を取り消すべき理由を発見しない。
　よって、結論のとおり決定する。
【異議決定日】
平成１６年１２月３日（２００４．１２．３）
【訂正の要旨】
審決（決定）の【理由】欄参照。
（５４）【発明の名称】
薬剤分割包装装置
（５７）【特許請求の範囲】
　【請求項１】　側板の両端部に端板をそれぞれ固定し、前記側板に対して下縁が接離可能となるように開閉板を設け、該開閉板と側板との間に仕切三角板を設けて、該仕切三角板を前記端板に向かって移動させることにより薬剤の分割数を調整してなるＶ枡と、
　該Ｖ枡の下方に並設され、開閉可能な底板を有し、Ｖ枡から落下する薬剤を分割して受け止める複数の分割容器と、
　該分割容器のいずれかの下方で薬剤を受け入れるホッパーを有する包装装置とを備え、
　前記各分割容器を、ループ状に移動可能な構成とすると共に、そのうちの１つを他よりも幅広に形成し、
一対のプーリ間に架け渡されたベルトに固定されて、前記プーリの外周を通過する位置では離間させ、前記プーリの外周を通過する位置以外では磁力により互いに連続させると共に、
　【請求項２】　前記三角仕切板の位置に基づいて薬剤の設定分割数を検出する分割数検出手段と、前記分割容器を原点位置にセットし、該分割数検出手段からの信号に基づいて分割位置に移動させる制御手段とを設けたことを特徴とする請求項１に記載の薬剤分割包装装置。
【発明の詳細な説明】
　【０００１】
　【発明の属する技術分野】
　本発明は、処方された散薬、錠剤等の薬剤を均等に分割した後、１包毎に包装する薬剤分割包装装置に関するものである。
　【０００２】
　【従来の技術】
　従来、薬剤分割包装装置では、効率的に薬剤を均等に分割できるように、例えば次のような構成のものが使用されている。
　【０００３】
　すなわち、現在使用されている薬剤分割包装装置は、図５に示すように、大略、Ｖ枡１と、このＶ枡１の下方に配設される複数の分割容器２と、各分割容器２から順次薬剤を受け入れるホッパー３を有する包装装置４とを備えた構成である。
　【０００４】
　前記Ｖ枡１は、図６に示すように、側板５の両端に端板６を固定し、この端板６間に回動可能に開閉板７を設け、その下縁を前記側板５の下縁に対して接離可能としたもので、側板５に対して開閉板７を閉じた状態では、側板５とで断面略Ｖ字形をなすように構成されている。また、Ｖ枡１内には、仕切三角板８が配設され、薬剤を何等分にするのかによってその位置を変更できるようになっている。仕切三角板８の仕切位置はセンサ９によって検出され、その検出信号は制御装置１０に入力されるようになっている。
　【０００５】
　前記分割容器２は、前記Ｖ枡１の下方で直線部材１１に連続して並設されている。また、各分割容器２の底面には開閉可能に底板１２が設けられている。前記直線部材１１にはラック１３が形成され、そこにはモータ１４の駆動により回転するピニオン１５が噛合されている。モータ１４を駆動すれば、ピニオン１５及びラック１３を介して前記分割容器２は往復運動するようになっている。
　【０００６】
　前記構成の薬剤分割包装装置では、次のようにして薬剤を均等に分割・包装する。まず、モータ１４を駆動して各分割容器２を適切な位置に移動させ、開閉板７を開放する。薬剤は落下して下方に位置する各分割容器２によって均等に分割される。続いて、再びモータ１４を駆動して分割容器２を移動させ、順次ホッパー３の上方に位置させる。その後、ホッパー３の上方に移動させた分割容器２から順に底板１２を開放し１包ずつ包装する。
　【０００７】
　【発明が解決しようとする課題】
　しかしながら、前記従来の薬剤分割包装装置では、分割容器２が直線部材１１によって往復移動する構成となっているため、長手方向に分割容器２が移動できるようにＶ枡１の約２倍の占有スペースを必要としていた。
　【０００８】
　また、前記薬剤分割包装装置では、開閉板７を開放する際、この開閉板７と仕切三角板８との間に隙間が生じ、この隙間から薬剤がこぼれ落ちて飛散するという問題があった。
　【０００９】
　そこで、本発明は、コンパクトで、薬剤を効率的に均等分割することのできる薬剤分割包装装置を提供することを課題とする。
　【００１０】
　【課題を解決するための手段】
　前記課題を達成するため、本発明では、側板の両端部に端板をそれぞれ固定し、前記側板に対して下縁が接離可能となるように開閉板を設け、該開閉板と側板との間に仕切三角板を設けて、該仕切三角板を前記端板に向かって移動させることにより薬剤の分割数を調整してなるＶ枡と、
　該Ｖ枡の下方に並設され、開閉可能な底板を有し、Ｖ枡から落下する薬剤を分割して受け止める複数の分割容器と、
　該分割容器のいずれかの下方で薬剤を受け入れるホッパーを有する包装装置とを備え、
　前記各分割容器を、ループ状に移動可能な構成とすると共に、そのうちの１つを他よりも幅広に形成し、
一対のプーリ間に架け渡されたベルトに固定されて、前記プーリの外周を通過する位置では離間させ、前記プーリの外周を通過する位置以外では磁力により互いに連続させると共に、
　【００１１】
　前記分割容器は、一旦、原点位置にセットされる。すなわち、一端側の分割容器がＶ枡の一端側端板に一致し、他端側に幅広の分割容器が位置して、その一部が他端側端板からはみ出した状態で一列に整列される。そして、前記分割容器は、仕切三角板の仕切位置に応じて移動され、分割位置にセットされる。すなわち、前記幅広の分割容器が仕切三角板の下方に位置し、開閉板の開放時、仕切三角板との間に形成される隙間からこぼれ落ちた薬剤を回収可能とする。これにより、薬剤の飛散が防止される。各分割容器で均等に分割された薬剤は、順次ホッパー上に分割容器を位置させて底板を開放されることにより包装される。前記分割容器はループ状に移動されるので、占有スペースを抑制することができる。
　【００１２】
　この場合、前記三角仕切板の位置に基づいて薬剤の設定分割数を検出する分割数検出手段と、前記分割容器を原点位置にセットし、該分割数検出手段からの信号に基づいて分割位置に移動させる制御手段とを設ければ、前記分包作業を自動的に行うことができ、作業効率がよい。
　【００１３】
　【発明の実施の形態】
　以下、本発明の実施の形態を添付図面に従って説明する。
　【００１４】
　図１は薬剤分割包装装置の概略図であるが、前記従来例と同様な構成については、対応する部分に同一符号を付してその説明を省略し、以下異なる構成について説明する。
　【００１５】
　すなわち、Ｖ枡１の開閉板７はロック機構を有している。このロック機構は、図２に示すように、支軸７ａを中心として回動可能に設けた開閉板７の外面上端側の係止受部７ｂに、支軸２１ａを中心に回転可能に設けたロック部材２１の係止部２１ｂを係脱可能としたものである。
　【００１６】
　前記分割容器２は、１箇所を除き、全て同一形状である。すなわち、１箇所の分割容器２は他の部分よりも幅広に形成され（以下、この分割容器２を幅広分割容器２ａという。）、下記するように、開閉板７を開放した際、開閉板７と仕切三角板８との間に形成される隙間からこぼれ落ちる薬剤を回収できるようになっている。
　【００１７】
　前記各分割容器２は、一対のプーリ２２間に架け渡されたベルト２３に固定されている。隣接する分割容器２の対向面にはそれぞれ磁石と鉄片が設けられ、プーリ２２の外周を通過する位置以外では磁力により互いに連続している。
　【００１８】
　また、前記分割容器２は、一方のプーリ２２を図示しないモータ等で回転させることによりループ状に移動するようになっている。これにより、分割容器２がＶ枡１の長さを大きく越えて側方にはみ出して移動することがなく、占有スペースを抑制することが可能である。
　【００１９】
　さらに、前記分割容器２は、少なくともＶ枡１の下方全領域に配置することができるようになっている。つまり、Ｖ枡１内を全て薬剤で満たした場合であっても、前記各分割容器２によって落下する薬剤を分割することが可能となっている。
　【００２０】
　前記制御装置１０では、図３及び図４のフローチャートに従って薬剤を分割し、包装する処理を行う。すなわち、まず分割容器２が原点位置に復帰しているか否かを判断する（ステップＳ１）。復帰していなければ、プーリ２２を回転駆動することにより、分割容器２を原点位置まで移動させる（ステップＳ２）。ここで、原点位置とは、全ての分割容器２をＶ枡１の下方に整列させた位置、すなわち、一端側の分割容器２がＶ枡１の一端側端板６に一致し、他端側の幅広分割容器２ａの一部がＶ枡１からはみ出した位置をいう。
　【００２１】
　分割容器２が原点位置に移動すれば、前記開閉板７の係止受部７ｂにロック部材２１の係止部２１ｂを係止することにより、Ｖ枡１をロック状態とし（ステップＳ３）、Ｖ枡１に薬剤を投入可能であることを図示しない表示部に表示する（ステップＳ４）。そして、薬剤の分割数に応じて仕切三角板８を移動させて分割数をセットすると共に（ステップＳ５）、仕切三角板８の位置検出を行う（ステップＳ６）。続いて、プーリ２２を回転駆動することにより、分割容器２の移動を開始する（ステップＳ７）。ここでは、予め検出した仕切三角板８の仕切位置によって決定される分割数に応じてプーリ２２を回転駆動することにより、所望数の分割容器２をＶ枡１の下方分割位置に配置する。その後、分割容器２が分割位置と一致するか否かを判断し（ステップＳ８）、一致すれば、その移動を停止する（ステップＳ９）。なお、分割位置とは、Ｖ枡１の一端側下方から順に分割容器２を整列させ、仕切三角板８の真下から側方に幅広分割容器２ａの一部がはみ出した位置をいう。また、分割容器２の分割位置への移動は、原点位置からプーリ２２を回転させた場合、プーリ２２の回転量と、分割容器２の移動量との関係に基づいて行う。
　【００２２】
　分割容器２の配置が完了すれば、Ｖ枡１のロック状態を解除した後（ステップＳ１０）、Ｖ枡１内に薬剤を投入し（ステップＳ１１）、均して（ステップＳ１２）、開閉板７を開放することにより、Ｖ枡１から薬剤を落下させる（ステップＳ１３）。落下した薬剤は各分割容器２で受け止められ、均等に分割される。このとき、仕切三角板８に接触している薬剤は、開閉板７が開放する際、この開閉板７と仕切三角板８との間に形成される隙間から外方にこぼれ出るが、こぼれ出た薬剤はその位置に配設された幅広分割容器２ａによって受け止められ、飛散することはない。
　【００２３】
　包装装置４による分包開始の入力があれば（ステップＳ１４）、前記ステップＳ３同様、前記開閉板７の係止受部７ｂにロック部材２１の係止部２１ｂを係止することにより、Ｖ枡１をロック状態とする（ステップＳ１５）。そして、先頭の分割容器２を包装位置に移動させ（ステップＳ１６）、包装を開始する（ステップＳ１７）。包装は、プーリ２２を回転駆動することにより、分割容器２を１ピッチだけ間欠送りし（ステップＳ１８）、所望の分割容器２が包装位置に至った時点で、底板１２を開放することにより行う（ステップＳ１９）。この動作は最終となる幅広分割容器２ａの包装が終了するまで続行される（ステップＳ２０）。
　【００２４】
　以上のようにして薬剤の分割・包装が終了すれば、クリーナを動作させることにより、各分割容器２内を清掃した後（ステップＳ２１）、分割容器２を移動させ（ステップＳ２２）、原点位置に復帰したか否かを判断する（ステップＳ２３）。そして、原点位置に復帰すれば、分割容器２の移動を停止し（ステップＳ２４）、待機データが有るか否かを判断する（ステップＳ２５）。待機データがなければ分割・包装作業を終了し、有ればステップＳ１に戻って前記制御を繰り返す。
　【００２５】
　このように、前記薬剤分割包装装置では、分割容器２をプーリ２２間に架け渡したベルト２３に固定することによりループ状に移動可能としたので、使用後又は未使用の分割容器２を装置の背後側に移動させておくことができる。
　【００２６】
　【発明の効果】
　以上の説明から明らかなように、本発明に係る薬剤分割包装装置によれば、分割容器をループ状に移動させるようにしたので、従来のように、移動可能な大きなスペースを必要とせず、コンパクトである。また、幅広の分割容器を設けるようにしたので、開閉板と仕切三角板との間に形成される隙間からこぼれ落ちる薬剤をも回収でき、均等な包装が可能となる。しかも、仕切三角板の位置を検出することにより、自動的に分割容器を所定位置にセットできるので、作業効率が高い。
【図面の簡単な説明】
　【図１】　本発明に係る薬剤分割包装装置の概略図である。
　【図２】　図１のＶ枡を示す断面図である。
　【図３】　本発明に係る薬剤分割包装装置における分割・包装作業を示すフローチャートである。
　【図４】　本発明に係る薬剤分割包装装置における分割・包装作業を示すフローチャートである。
図１の分割容器の底板の開放状態を示す平面図である。
　【図５】　従来例に係る薬剤分割包装装置の概略図である。
　【図６】　図５に示すＶ枡の斜視図である。
　【符号の説明】
　１　Ｖ枡
　２　分割容器
　２ａ　幅広分割容器
　３　ホッパー
　４　包装装置
　７　開閉板
　８　仕切三角板
　１０　制御装置（制御手段）
　１２　底板